(57)【要約】      （修正有）【課題】使用の際に置き場所に困らず他のことに両手を使うことができ、かつティッシュペーパーを使い切った場合にすぐに次のティッシュペーパーを取り出して使うことができるポケットティッシュカバーを提供する。【解決手段】ポケットティッシュカバー２０は、二つのポケットティッシュ２を重ねて収納することができる袋状のものであって、その一辺が開口部２６となっていてそこからポケットティッシュを入れることができる本体部２２と、その前面に設けられていて中のポケットティッシュからティッシュペーパーを取り出すための取り出し口２４とを備えている。更に、本体部２２の前面から延出していて後ろへ折り返すことができる蓋部２８と、本体部の後面の上に配置されていて両端部のみが本体部に固定されているゴムひも３０とを備えている。ゴムひもの下に手首を通してポケットティッシュカバーを手首に付けておくことができる。【選択図】図２
0003185946.tif 000002
【実用新案登録請求の範囲】
【請求項１】
ティッシュペーパーを包装袋に入れて成るポケットティッシュを収納するポケットティッシュカバーであって、
少なくとも二つのポケットティッシュを重ねて収納することができる袋状の本体部であって、その平面形状がほぼ矩形をしており、かつその一辺が開口部となっていてそこから中へポケットティッシュを入れることができ、かつ各ポケットティッシュ間を仕切る中仕切りを有していない本体部と、
前記本体部の前面のほぼ中央部に、前記開口部に沿う方向に設けられていて、中に収納しているポケットティッシュからティッシュペーパーを取り出すためのスリット状の取り出し口と、
前記開口部となっている一辺において前記本体部の前面から延出していて、後ろへ折り返すことができ、それによって前記開口部を覆う蓋部と、
前記本体部の後面のほぼ中央部の上に、前記前面の取り出し口に沿う方向に配置されていて、両端部のみが前記本体部に固定されているゴムひもとを備えており、
前記ゴムひもと前記本体部の後面との間に前記蓋部を差し込んで当該蓋部を固定することができると共に、当該差し込まれた蓋部と前記ゴムひもとの間に手首を通して当該ポケットティッシュカバーを手首に付けておくことができるように構成されている、ことを特徴とするポケットティッシュカバー。
【請求項２】
前記本体部は、二つのポケットティッシュを重ねて収納することができるものである請求項１記載のポケットティッシュカバー。
【考案の詳細な説明】
【技術分野】
【０００１】
この考案は、ティッシュペーパー（より具体的には、小さく折り畳んだ複数枚のティッシュペーパー）を包装袋に入れて成るポケットティッシュを収納するポケットティッシュカバーに関する。
【背景技術】
【０００２】
ポケットティッシュには広告が付されている場合が多く、見た目を良くする等のためのものとして、ポケットティッシュを収納するポケットティッシュカバーが従来から種々提案されている。その例を以下に説明する。
【０００３】
（１）従来の第１のポケットティッシュカバーは、ポケットティッシュを一つ収納する袋状のものであって、平面形状がほぼ矩形をしており、かつその前面に、中に収納しているポケットティッシュからティッシュペーパーを取り出すための取り出し口を有している、という単純な構造をしている。これは、簡単に言えば、図１に示すポケットティッシュカバー１０の本体部１２および取り出し口１４だけの構造に相当する。
【０００４】
取り出し口は、例えば、スリット状（例えば図１に示す取り出し口１４参照）の構造や、袋の開口部で２枚の布を所定の幅だけ（１〜２ｃｍ程度）重ねた構造等をしている。
【０００５】
（２）上記第１のポケットティッシュカバーを改良したものとして、図１に示すような第２のポケットティッシュカバー１０も提案されている。このポケットティッシュカバー１０は、一つのポケットティッシュ２を収納することができる袋状のものであって、平面形状がほぼ矩形をしており、その前面にティッシュペーパーの取り出し口１４を有している本体部１２の後面側に、予備のポケットティッシュを収納することができる予備収納部１６を設け、かつ矢印Ａで示すように折り返すことによって予備収納部１６の入口および取り出し口１４を覆うことができる蓋部１８を後面から延出させた構造をしている。本体部１２と予備収納部１６との間には中仕切り１７が存在する。
【０００６】
（３）また、上記第１のポケットティッシュカバーを改良したものとして、特許文献１には、鞄の取っ手や衣服のベルト通し穴などに取り付ける環状のホルダーを、ポケットティッシュカバーの一箇所（具体的には一つの角部）に、外に突き出させて取り付けておき、携帯に便利にした第３のポケットティッシュカバーが提案されている。
【先行技術文献】
【特許文献】
【０００７】
【特許文献１】実用新案登録第３０４２０５０号公報
【考案の概要】
【考案が解決しようとする課題】
【０００８】
上記第１のポケットティッシュカバーの場合、中からティッシュペーパーを取り出して使用する際に、当該ポケットティッシュカバー（使用の際はポケットティッシュ入り。以下同様）の置き場所に困り、それを手で握ったままにしておくと、他のことに両手を使うことができない。
【０００９】
例えば、外出先の化粧室で使用する際に、ティッシュペーパーを取り出す前後で両手を他のことに使いたい場合があるが、ポケットティッシュカバーの適当な置き場所が無い場合があり、かといってそれを手で握ったままにしておくと、他のことに両手を使うことができない。
【００１０】
また、小さな子供を世話する際に使用するときにも、ティッシュペーパーを取り出す前後で子供の世話に両手を使いたい場合があるが、それができない。また、子供は動き回るので、上記ポケットティッシュカバーをどこか一箇所に置いておくのは不便である。
【００１１】
更に、上記第１のポケットティッシュカバーの場合、使用の最中に中のポケットティッシュ内のティッシュペーパーを使い切ってしまった場合に、すぐに次のティッシュペーパーが必要であるのに、それをすぐに取り出して使うことができないということも起こり得る。
【００１２】
上記不都合を予防するために、例えば、中のポケットティッシュ内のティッシュペーパーが少なくなったら、その都度、新しいポケットティッシュと予め交換しておくというのは、面倒であるだけでなく、先のポケットティッシュを完全に使い切らずに取り出すことになるので、もったいない。使いかけのポケットティッシュが次々と溜まることになる。
【００１３】
仮に、上記ポケットティッシュカバー内に予め二つのポケットティッシュを入れておいた場合、上側のポケットティッシュ内のティッシュペーパーを使い切った後に、その空になった包装袋を捨てて、下側のポケットティッシュ内のティッシュペーパーを続けて使うということは１回行うことができるだけである。その後は、元は下側にあったポケットティッシュしか残っていないので、ポケットティッシュが一つの場合と同様であり、前述した不都合が生じる。
【００１４】
一つのポケットティッシュ内のティッシュペーパーが少なくなり始めたら、もう１個の新しいポケットティッシュを上記ポケットティッシュカバー内に補充することも考えられるけれども、その補充は、ティッシュペーパーを取り出すための狭い取り出し口を通して行わなければならないので、容易ではない。ティッシュペーパーの取り出し口は、広くしておくとティッシュペーパーを取り出すときにポケットティッシュ全体が誤って引き出されてしまう恐れがあるので、広くすることは好ましくない。しかも、新しいポケットティッシュを先の使用途中のポケットティッシュの上側に補充することはできるけれども、そうすると、下側には使用途中のポケットティッシュがいつまでも残ることになり、新旧のポケットティッシュを順番にかつ完全に使い切ることはできない。
【００１５】
ティッシュペーパーを取り出すための取り出し口は上記のように狭いので、新しいポケットティッシュを補充するときにそれを先のポケットティッシュの下側に入れるのは容易ではなく、非常に面倒であり、非現実的である。
【００１６】
上記第２のポケットティッシュカバー１０（図１参照）の場合、予備収納部１６内に予備のポケットティッシュを入れておいても、本体部１２内のポケットティッシュ内のティッシュペーパーを使い切ってしまったら、その空の包装袋を捨てて、予備収納部１６に入れてあった予備のポケットティッシュを本体部１２内に移しかえて使用することになる。その際、本体部１２内にある先のポケットティッシュを使い切った正にその時に、予備のポケットティッシュを予備収納部１６から取り出して、それをティッシュペーパーを取り出すための狭い取り出し口１４から本体部１２内へ詰め込む作業が必要であるので、面倒であるだけでなく、非常に忙しない。仮に予備収納部１６から取り出したポケットティッシュを本体部１２内へ収納せずにそのまま裸で使うとすると、ポケットティッシュカバー１０の置き場所に困るだけでなく、そもそもポケットティッシュカバー１０を用いる当初の意味が薄れる。
【００１７】
更に、上記第２のポケットティッシュカバー１０も、上記第１のポケットティッシュカバーの場合と同様に、中からティッシュペーパーを取り出して使用する際に、当該ポケットティッシュカバー１０の置き場所に困り、手で握ったままにしておくと他のことに両手を使うことができないという課題がある。
【００１８】
上記第３のポケットティッシュカバーの場合、鞄の取っ手や衣服のベルト通し穴などに取り付けるホルダーを取り付けているので、携帯に便利であるかもしれないけれども、中からティッシュペーパーを取り出して使用する際は、鞄の取っ手や衣服のベルト通し穴から取り外して使用することになるので、上記第１のポケットティッシュカバーの場合と同様に、中からティッシュペーパーを取り出して使用する際に、当該ポケットティッシュカバー１０の置き場所に困り、手で握ったままにしておくと他のことに両手を使うことができないという課題がある。
【００１９】
仮に鞄の取っ手や衣服のベルト通し穴などから取り外さずに使おうとしても、鞄を手元に置けない場合もあり、動き回る子供を世話する際には使えず、また鞄などに取り付けたままではティッシュペーパーを取り出すことも容易ではない。
【００２０】
更に、上記第３のポケットティッシュカバーの場合も、上記第１のポケットティッシュカバーの場合と同様に、中のポケットティッシュ内のティッシュペーパーを使い切ってしまった場合にすぐに次のティッシュペーパーを取り出して使うことができないという課題がある。
【００２１】
そこでこの考案は、使用の際に簡単にティッシュペーパーを取り出すことができ、かつ当該ポケットティッシュカバーの置き場所に困らず他のことに両手を使うことができ、更に中のポケットティッシュ内のティッシュペーパーを使い切った場合にすぐに次のティッシュペーパーを取り出して使うことができるポケットティッシュカバーを提供することを主たる目的としている。
【課題を解決するための手段】
【００２２】
この考案に係るポケットティッシュカバーは、少なくとも二つのポケットティッシュを重ねて収納することができる袋状の本体部であって、その平面形状がほぼ矩形をしており、かつその一辺が開口部となっていてそこから中へポケットティッシュを入れることができ、かつ各ポケットティッシュ間を仕切る中仕切りを有していない本体部と、前記本体部の前面のほぼ中央部に、前記開口部に沿う方向に設けられていて、中に収納しているポケットティッシュからティッシュペーパーを取り出すためのスリット状の取り出し口と、前記開口部となっている一辺において前記本体部の前面から延出していて、後ろへ折り返すことができ、それによって前記開口部を覆う蓋部と、前記本体部の後面のほぼ中央部の上に、前記前面の取り出し口に沿う方向に配置されていて、両端部のみが前記本体部に固定されているゴムひもとを備えており、前記ゴムひもと前記本体部の後面との間に前記蓋部を差し込んで当該蓋部を固定することができると共に、当該差し込まれた蓋部と前記ゴムひもとの間に手首を通して当該ポケットティッシュカバーを手首に付けておくことができるように構成されている、ことを特徴としている。
【００２３】
このポケットティッシュカバーは、その本体部に、少なくとも二つのポケットティッシュを重ねて収納しておくことができる。使用に際しては、ゴムひもとその下に差し込まれた蓋部との間に手首を通して、ポケットティッシュ入りの当該ポケットティッシュカバーを一方の手首に付けておく（換言すれば、装着しておく。以下同様）ことができる。
【考案の効果】
【００２４】
この考案によれば次の効果を奏する。
【００２５】
（１）使用の際は、ゴムひもとその下に差し込まれた蓋部との間に手首を通して、ポケットティッシュ入りの当該ポケットティッシュカバーを一方の（例えば左手の）手首に付けておくことができ、その状態で、他方の手（例えば右手）で取り出し口からティッシュペーパーを簡単に取り出すことができる。即ち、ティッシュペーパーの取り出しの際、手首がポケットティッシュカバーの後面側を支える支え台になるので、他方の手で前面の取り出し口から簡単にティッシュペーパーを取り出すことができる。
【００２６】
（２）使用の際、手首に当該ポケットティッシュカバーを付けておくことができるので、当該ポケットティッシュカバーの置き場所に困らない。動いている最中にも常に身に付けておくことができる。
【００２７】
（３）使用の際、手首に当該ポケットティッシュカバーを付けておくことができるので、ポケットティッシュカバーを手で握っておく必要はなく、また当該ポケットティッシュカバーを付けた手も自由に動かすことができるので、両手を他のことに使うことができる。
【００２８】
（４）本体部に少なくとも二つのポケットティッシュを重ねて収納しておくことができるので、しかも各ポケットティッシュ間を仕切る中仕切りを有していないので、上側のポケットティッシュ内のティッシュペーパーを使い切った場合に下側のポケットティッシュからすぐに次のティッシュペーパーを取り出して使うことができる。これは、上側にあったポケットティッシュの空になった包装袋を取り除くことによって、中仕切りを有していないので、下側にあったポケットティッシュが自然に上側に来てそれをすぐに使うことができるからである。
【００２９】
（５）本体部へは、その一辺の開口部からポケットティッシュを入れることができ、この開口部はティッシュペーパーの取り出し口と違って狭くしておく必要はないので、ティッシュペーパーの取り出し口を通してポケットティッシュを中に入れる従来のポケットティッシュカバーの場合と違って、ポケットティッシュを簡単に本体部内に入れることができる。先に入っているポケットティッシュの下側へ新たなポケットティッシュを入れることも、単に下側へ入れれば良いだけであるので簡単である。
【００３０】
（６）上側のポケットティッシュを使い切ったら、適当な時に上記開口部から、残っているもう１個のポケットティッシュの下側に新たなポケットティッシュを補充しておけば良く、しかもこの補充は上記のように簡単であるので、上側のポケットティッシュを完全に使い切りながら、下側に新たなポケットティッシュを順次補充しておくことによって、新旧のポケットティッシュを順番にかつ完全に使い切ることができる。従って、無駄がなく、かついつまでも古いポケットティッシュが下側に残ることもない。
【図面の簡単な説明】
【００３１】
【図１】従来のポケットティッシュカバーの一例を、その蓋部を開いた状態で示す斜視図である。
【図２】この考案に係るポケットティッシュカバーの一実施形態を示す斜視図である。
【図３】図２の線Ｂ−Ｂに沿う拡大概略断面図であり、二つのポケットティッシュを重ねて収納している場合の例を示す。
【図４】図２に示すポケットティッシュカバーの蓋部を開いた状態を示す平面図である。
【図５】図２に示すポケットティッシュカバーの蓋部を開いた状態を示す下面図である。
【図６】図５に示すポケットティッシュカバーの蓋部を閉じた状態を示す下面図である。
【図７】図２に示すポケットティッシュカバーを手首に付けた状態の一例を示す下面図である。
【考案を実施するための形態】
【００３２】
この考案に係るポケットティッシュカバーの実施形態を、図２〜図７を参照して説明する。なお、図３においては、説明を分り易くするために、厚さ方向の間隔を他の寸法よりも大きくして図示している。
【００３３】
このポケットティッシュカバー２０は、ティッシュペーパー（より具体的には、小さく折り畳んだ複数枚のティッシュペーパー）を包装袋に入れて成るポケットティッシュ２を収納するものである。
【００３４】
このポケットティッシュカバー２０は、少なくとも二つのポケットティッシュ２を重ねて収納することができる袋状の本体部２２を有している。より具体的には、この実施形態では本体部２２は、図３に示す例のように、二つのポケットティッシュ２を重ねて収納することができるものである。各ポケットティッシュ２は、その包装袋のミシン目４を、後述する取り出し口２４側に向けて収納する。
【００３５】
本体部２２は、その平面形状がほぼ矩形をしている。より具体的には、収納するポケットティッシュ２にほぼ対応した矩形をしている。この本体部２２は、その一辺（より具体的には一つの長辺）が、そのほぼ全長に亘って開口部２６となっており、そこから（即ち、横から）中へポケットティッシュ２を入れることができる。
【００３６】
本体部２２は、図３からも分るように、各ポケットティッシュ２間を仕切る中仕切りを有していない。
【００３７】
本体部２２および後述する蓋部２８、縁飾り３２は、この実施形態では布製である。布製だと、作り易く、手触りも良く、柄も豊富である。
【００３８】
本体部２２の前面２２ａのほぼ中央部には、上記開口部２６に沿う方向に（例えば、ほぼ平行に）設けられていて、中に収納しているポケットティッシュからティッシュペーパーを取り出すためのスリット状の取り出し口２４が設けられている。
【００３９】
取り出し口２４の両側には、この実施形態のように、縁飾り３２を取り付けておいても良い。そのようにすると、取り出し口２４の位置が分り易くなる。また、取り出し口２４の補強になって、取り出し口２４が緩んで不所望に開いたり、取り出し口２４が破れたりすることを抑制することができる。美観も向上する。
【００４０】
上記開口部２６となっている一辺において本体部２２の前面２２ａから蓋部２８が延出しており、この蓋部２８は後ろへ折り返すことができ、それによって開口部２６を覆うことができる（例えば図２の状態参照）。
【００４１】
本体部２２の後面２２ｂのほぼ中央部の上に、前面２２ａの取り出し口２４に沿う方向に（例えば、ほぼ平行に）配置されていて、両端部３０ａ、３０ｂのみが本体部２２に固定されているゴムひも３０が設けられている。ゴムひも３０は、この実施形態では平ゴムひもである。
【００４２】
このようにして、ゴムひも３０と本体部２２の後面２２ｂとの間に蓋部２８を差し込んで当該蓋部２８を固定することができると共に（例えば図６参照）、当該差し込まれた蓋部２８とゴムひも３０との間に手首３４（図７参照）を通して当該ポケットティッシュカバー２０を手首３４に付けておくことができるように構成されている。
【００４３】
ゴムひも３０は弾力性を有していて伸び縮みするので、その下に蓋部２８を差し込み易く、手首３４も通し易く、かつ手首３４の上でのポケットティッシュカバー２０の位置がずれにくい。
【００４４】
このポケットティッシュカバー２０は、その本体部２２に、少なくとも二つ（この実施形態では前述したように二つ）のポケットティッシュ２を重ねて収納しておくことができる。使用に際しては、例えば図７に示す例のように、ゴムひも３０とその下に差し込まれた蓋部２８との間に手首３４を通して、ポケットティッシュ２入りの当該ポケットティッシュカバー２０を一方の手首３４に付けておくことができる。なお、図７は、ポケットティッシュカバー２０を手首３４の外側に付けている例を示すが、ポケットティッシュカバー２０を手首３４の内側に付けておいても良い。
【００４５】
もちろん、状況に応じて、例えば両手を他のことに使う必要がない等の場合には、ポケットティッシュカバー２０を手首に付けずに使用しても良い。
【００４６】
このポケットティッシュカバー２０によれば次の効果を奏する。
【００４７】
（１）主に図７を参照して、使用の際は、ゴムひも３０とその下に差し込まれた蓋部２８との間に手首３４を通して、ポケットティッシュ２入りの当該ポケットティッシュカバー２０を一方の（例えば左手の）手首３４に付けておくことができ、その状態で、他方の手（例えば右手）で取り出し口２４（例えば図２参照）からティッシュペーパーを簡単に取り出すことができる。即ち、ティッシュペーパーの取り出しの際、手首３４がポケットティッシュカバー２０の後面側を支える支え台になるので、他方の手で前面の取り出し口２４から簡単にティッシュペーパーを取り出すことができる。
【００４８】
（２）使用の際、手首３４に当該ポケットティッシュカバー２０を付けておくことができるので、当該ポケットティッシュカバー２０の置き場所に困らない。動いている最中にも常に身に付けておくことができる。
【００４９】
（３）使用の際、手首３４に当該ポケットティッシュカバー２０を付けておくことができるので、ポケットティッシュカバー２０を手で握っておく必要はなく、また当該ポケットティッシュカバー２０を付けた手も自由に動かすことができるので、両手を他のことに使うことができる。
【００５０】
上記（１）〜（３）の結果、例えば、外出先の化粧室で使用する際のように、ポケットティッシュ入りのポケットティッシュカバーの適当な置き場所が無い所で使用するときにも、ポケットティッシュカバーの置き場所に困ることはなく、しかもティッシュペーパーを取り出す前後で両手を他のことに使用することができる。
【００５１】
また、小さな子供を世話する際に使用するときにも、ティッシュペーパーを取り出す前後で子供の世話に両手を使うことができると共に、ポケットティッシュ入りのポケットティッシュカバーを身に付けておくことができるので、子供が動き回ってもすぐにティッシュペーパーを取り出して使うことができるので、便利である。
【００５２】
（４）図３に示すように、ポケットティッシュカバー２０の本体部２２に少なくとも二つのポケットティッシュ２を重ねて収納しておくことができるので、しかも各ポケットティッシュ２間を仕切る中仕切りを有していないので、上側のポケットティッシュ２内のティッシュペーパーを使い切った場合に下側のポケットティッシュ２からすぐに次のティッシュペーパーを取り出して使うことができる。これは、上側にあったポケットティッシュ２の空になった包装袋を取り除くことによって、中仕切りを有していないので、下側にあったポケットティッシュ２が自然に上側に来てそれをすぐに使うことができるからである。
【００５３】
（５）ポケットティッシュカバー２０の本体部２２へは、その一辺の開口部２６から（即ち、横から）ポケットティッシュ２を入れることができ（このときはもちろん蓋部２８を開いておく）、この開口部２６はティッシュペーパーの取り出し口２４と違って狭くしておく必要はないので、ティッシュペーパーの取り出し口を通してポケットティッシュを中に入れる従来のポケットティッシュカバーの場合と違って、ポケットティッシュ２を簡単に本体部２２内に入れることができる。先に入っているポケットティッシュ２の下側へ新たなポケットティッシュ２を入れることも、単に下側へ入れれば良いだけであるので簡単である。
【００５４】
（６）上側のポケットティッシュ２を使い切ったら、適当な時に上記開口部２６から、残っているもう１個のポケットティッシュ２の下側に新たなポケットティッシュ２を補充しておけば良く、しかもこの補充は上記のように簡単であるので、上側のポケットティッシュ２を完全に使い切りながら、下側に新たなポケットティッシュ２を順次補充しておくことによって、新旧のポケットティッシュ２を順番にかつ完全に使い切ることができる。従って、無駄がなく、かついつまでも古いポケットティッシュが下側に残ることもない。
【符号の説明】
【００５５】
２  ポケットティッシュ
２０  実施形態のポケットティッシュカバー
２２  本体部
２２ａ  前面
２２ｂ  後面
２４  取り出し口
２６  開口部
２８  蓋部
３０  ゴムひも
３４  手首
【図１】
0003185946.tif 000003
【図２】
0003185946.tif 000004
【図３】
0003185946.tif 000005
【図４】
0003185946.tif 000006
【図５】
0003185946.tif 000007
【図６】
0003185946.tif 000008
【図７】
0003185946.tif 000009